(57)【要約】      （修正有）【課題】手術中のニーズに応じて常圧灌流又は高圧灌流を行うことができ、詰まりにくく、灌流効果に優れ、使用しやすい灌流吸引装置を提供する。【解決手段】灌流吸引装置は、３ルーメンチューブ１と、分岐チューブと、２つのソフトチューブ５、６と、制御ユニット３、４、１２と、複列チューブとを含む。３ルーメンチューブ１は、常圧灌流ルーメンと、高圧灌流ルーメンと、吸引ルーメンとを含み、吸引ルーメンの横断面積は常圧灌流ルーメンの横断面積より大きく、常圧灌流ルーメンの横断面積は高圧灌流ルーメンの横断面積より大きい。分岐チューブによって、３ルーメンチューブ１の常圧灌流ルーメン及び高圧灌流ルーメンは一方のソフトチューブ５に接続され、且つ、３ルーメンチューブ１の吸引ルーメンは他方のソフトチューブ６に接続される。２つのソフトチューブ５、６内の気体又は液体の流動速度は、制御ユニット３、４、１２によって制御され、２つのソフトチューブ５、６は複列チューブに接続される。【選択図】図２
0003229237.tif 000002
【実用新案登録請求の範囲】
【請求項１】
３ルーメンチューブと、分岐チューブと、２つのソフトチューブと、制御ユニットと、複列チューブとを含み、
前記３ルーメンチューブは、常圧灌流ルーメンと、高圧灌流ルーメンと、吸引ルーメンとを含み、前記吸引ルーメンの横断面積は前記常圧灌流ルーメンの横断面積より大きく、前記常圧灌流ルーメンの横断面積は前記高圧灌流ルーメンの横断面積より大きく、
前記３ルーメンチューブは前記分岐チューブに接続され、前記分岐チューブによって、前記３ルーメンチューブの常圧灌流ルーメン及び高圧灌流ルーメンは一方のソフトチューブに接続され、且つ、前記３ルーメンチューブの吸引ルーメンは他方のソフトチューブに接続され、
前記２つのソフトチューブ内の気体又は液体の流動速度は、前記コントローラによって制御され、前記２つのソフトチューブは複列チューブに接続される
ことを特徴とする灌流吸引装置。
【請求項２】
前記制御ユニットは灌流コントローラと、吸引コントローラと、制御ノブとを含む
請求項１に記載の灌流吸引装置。
【請求項３】
前記常圧灌流ルーメン及び前記高圧灌流ルーメン内の気体又は液体の流動速度は、前記灌流コントローラによって制御される
請求項２に記載の灌流吸引装置。
【請求項４】
前記吸引ルーメン内の気体又は液体の流動速度は、前記制御ノブ及び／又は前記吸引コントローラによって制御される
請求項２に記載の灌流吸引装置。
【請求項５】
リーフスプリングと、押圧ボタンと、Ｍ字状のベースとを含む押圧ユニットをさらに含み、前記リーフスプリングは前記灌流コントローラと、吸引コントローラとに接続され、前記灌流コントローラ及び／又は吸引コントローラが前記リーフスプリングに圧力を加えない場合、前記リーフスプリングは前記押圧ボタンに力を加え、前記押圧ボタンが前記ソフトチューブをＭ字状のベースに押し付け、前記灌流コントローラ及び／又は吸引コントローラが前記押圧ボタンに力を加える場合、前記押圧ボタンが前記Ｍ字状のベースを持ち上げて、前記ソフトチューブを完全又は一部開放させる
請求項２に記載の灌流吸引装置。
【請求項６】
前記制御ノブは、吸引ルーメン内の気体又は液体の流動を正確にかつ持続的に制御する
請求項２に記載の灌流吸引装置。
【請求項７】
前記吸引ルーメンは直線状である
請求項１ないし６のいずれかに記載の灌流吸引装置。
【請求項８】
高圧灌流液体源としての灌流ポンプ又は高く設置されている液体バッグをさらに含む
請求項１ないし６のいずれかに記載の灌流吸引装置。
【考案の詳細な説明】
【技術分野】
【０００１】
本考案は、外科器具に関し、特に、灌流吸引装置に関する。
【背景技術】
【０００２】
灌流吸引装置は、腹腔鏡手術及び開腹手術において使用される重要なツールである。手術部位に灌流液を供給して洗浄し、出血部位の視野を確保するために用いられ、さらに、真空吸引を利用して、手術部位から血液及びその他液体及び組織の破片を吸引するためにも用いられる。特に、ＲＦエネルギーの使用又は電気凝固切断を行う前に出血部位を認識しその正確な位置決めを行うことができる。灌流吸引装置は通常ＣＯ２気腹装置の５ｍｍ又は１０ｍｍの穿刺カニューレ又は穿刺装置と組み合わせて使用され、これによって体腔の膨張状態を維持し、手術用の操作空間を作り出して、手術を受ける体腔に手術器具を入れることができる。従来の灌流吸引装置は、単一ルーメンチューブ（最も一般的なのは外径５ｍｍのものであるが、時には１０ｍｍのものも使用される）と、典型的にはチューブを接続して吸引又は灌流を行う、「トランペット」状を特徴とする１つ以上のバルブとを含む。使い捨て式の器具は一般にプラスチックで製造されるが、繰り返し使用される器具は取り外し可能なものとしてステンレス鋼で製造され、しかも別の患者又は手術に使用される前又は使用後には、洗浄及び消毒を行う。効果的な洗浄及び浄化を行うために、バルブを取り外す必要がある。バルブ及びチューブは複雑な幾何形状に構成されるため洗浄しにくい。そのため、現在使用されているものはその大半が使い捨て式である。
【０００３】
灌流吸引装置は主に、単一ルーメンチューブを使用し共通のルーメンを介して灌流及び吸引を行い、同一のルーメンを利用して吸引及び灌流を行うため、吸引された「汚い」液体（例えば、汚染された血液又は血塊などの不透明な液体又は固体）が患者の体内に戻ってしまう可能性があり、これによって出血部位の特定はより難しくなる。また、チューブ内の液体の完全除去がほぼ不可能であるため潜在的な汚染要因となる前記液体がチューブ内に残留し手術部位に戻ってしまうこともあり得る。これは一般に手術部位への「再注入」と呼ばれ、手術部位に追加の感染が生じるリスクがある。従来技術としては、２つの異なるルーメンを利用する灌流吸引装置があり、一方は吸引するために、他方は灌流するために利用される。灌流用として使用される場合、液流は一般に低い流速でチューブに沿って徐々に流動するため、従来の技術においては使い捨て式のポンプ又は加圧容器（例えば、窒素ガス加圧）を利用して灌流液の供給時に圧力を加えるという方法を採用しているが、費用の増加が生じ当該灌流吸引装置の使用上のリスクも増加する。より優れた灌流効果を得られるものの、大きな流速により大量の灌流液を消費し、余剰の液体を頻繁に吸引する必要がある。液流におけるエネルギーの総量を制御するためには、比較的低い圧力が必要となる。圧力が大きすぎると手術部分に望ましくない傷害が生じる。したがって、従来技術による灌流吸引装置は、灌流効果に優れかつ使用しやすいものではない。
【考案の概要】
【考案が解決しようとする課題】
【０００４】
本考案は、従来技術による灌流吸引装置は灌流効果が優れず、使用しにくいという課題を解決するためになされるものであって、灌流吸引装置を提供する。
【課題を解決するための手段】
【０００５】
本考案は、上記の課題を解決するために、以下のように構成する。
【０００６】
３ルーメンチューブと、分岐チューブと、２つのソフトチューブと、制御ユニットと、複列チューブとを含む灌流吸引装置であって、前記３ルーメンチューブは、常圧灌流ルーメンと、高圧灌流ルーメンと、吸引ルーメンとを含み、前記吸引ルーメンの横断面積は前記常圧灌流ルーメンの横断面積より大きく、前記常圧灌流ルーメンの横断面積は前記高圧灌流ルーメンの横断面積より大きい。前記３ルーメンチューブは前記分岐チューブに接続され、前記分岐チューブによって、前記３ルーメンチューブの常圧灌流ルーメン及び高圧灌流ルーメンは灌流ソフトチューブに接続され、且つ、前記３ルーメンチューブの吸引ルーメンは吸引ソフトチューブに接続される。前記２つのソフトチューブ内の気体又は液体の流動速度は、前記コントローラによって制御され、前記２つのソフトチューブは複列チューブに接続される。
【０００７】
好ましくは、前記制御ユニットは灌流コントローラと、吸引コントローラと、制御ノブとを含む。
【０００８】
好ましくは、前記常圧灌流ルーメン及び前記高圧灌流ルーメン内の気体又は液体の流動速度は、灌流コントローラによって制御される。
【０００９】
好ましくは、前記吸引ルーメン内の気体又は液体の流動速度は、制御ノブ及び／又は吸引コントローラによって制御される。
【００１０】
好ましくは、リーフスプリングと、押圧ボタンと、Ｍ字状のベースとを含む押圧ユニットをさらに含み、前記リーフスプリングは前記灌流コントローラ、吸引コントローラに接続され、前記灌流コントローラ及び／又は吸引コントローラが前記リーフスプリングに圧力を加えない場合、前記リーフスプリングは前記押圧ボタンに力を加え、前記押圧ボタンが前記ソフトチューブをＭ字状のベースに押し付け、前記灌流コントローラ及び／又は吸引コントローラが前記押圧ボタンに力を加える場合、前記押圧ボタンは前記Ｍ字状のベースを持ち上げて、ソフトチューブを完全又は一部開放させる。
【００１１】
好ましくは、制御ノブは、吸引ルーメン内の気体又は液体の流動を正確にかつ持続的に制御する。
【００１２】
好ましくは、前記吸引ルーメンは直線状である。
【００１３】
好ましくは、高圧灌流液体源としての灌流ポンプ又は高く設置されている液体バッグをさらに含む。
【考案の効果】
【００１４】
本考案は以下の有益な効果を有する。常圧灌流ルーメンと、高圧灌流ルーメンと、吸引ルーメンとを含む３ルーメンチューブ式の灌流吸引装置を提供する。手術中は、ニーズに応じて常圧灌流又は高圧灌流を行うことができ、吸引ルーメンの口径が大きいため、詰まりにくく、吸引及び灌流用の気流又は液流は完全に分離しているため、灌流効果に優れ、使用しやすい。
【図面の簡単な説明】
【００１５】
【図１】本考案の実施例１に係る灌流吸引装置の外部構造を概略的に示す説明図
【図２】本考案の実施例１に係る灌流吸引装置の内部構造を概略的に示す説明図
【図３】本考案の実施例１に係る別の灌流吸引装置の内部構造を概略的に示す説明図
【図４】本考案の実施例１に係る３ルーメンチューブの横断面を概略的に示す説明図
【図５】本考案の実施例１に係る制御ノブを概略的に示す説明図
【図６】本考案の実施例１に係る制御ノブの動作状態を概略的に示す説明図
【図７】本考案の実施例１に係る別の制御ノブの動作状態を概略的に示す説明図
【考案を実施するための形態】
【００１６】
次に、本考案をより一層理解させるために、図面及び具体的な実施例を用いてさらに説明する。下記の実施例は、本考案の範囲を限定するためのものではない。なお、下記の実施例に記載の図形と符号は、本考案の発想の基本を概略的に説明しているものに過ぎず、図面には本考案に関連する構成要素だけが示されており、実際に実施する際の構成要素の数量、形状及び寸法に基づいて作成しているものではない。実際に実施する際は、各コンポーネントの形状、数量及び寸法は任意に変更することができ、各コンポーネントはより複雑に配置される場合がある。
【００１７】
（実施例１）
図１、図２、図３に示すように、本考案に係る灌流吸引装置は、３ルーメンチューブ１と、分岐チューブ２と、２つのソフトチューブ５、６と、制御ユニットと、複列チューブとを含み、これらは順に接続される。
【００１８】
図４に示すように、３ルーメンチューブ１は、常圧灌流ルーメン７と、高圧灌流ルーメン８と、吸引ルーメン９とを含み、吸引ルーメン９の横断面積は前記常圧灌流ルーメン７の横断面積より大きく、常圧灌流ルーメン７の横断面積は高圧灌流ルーメン８の横断面積より大きい。３ルーメンチューブ１は前記分岐チューブ２に接続され、分岐チューブ２によって、３ルーメンチューブ１の常圧灌流ルーメン７及び高圧灌流ルーメン８は吸引ソフトチューブ５に接続され、且つ、３ルーメンチューブ１の吸引ルーメン９は灌流ソフトチューブ６に接続される。２つのソフトチューブ内の気体又は液体の流動速度は、前記コントローラによって制御され、２つのソフトチューブは複列チューブに接続される。手術中は、ニーズに応じて常圧灌流又は高圧灌流を行うことができ、吸引ルーメン９は直線状であり、吸引ルーメン９の口径が大きいため、詰まりにくく、吸引及び灌流用の気流又は液流は完全に分離しているため、灌流効果に優れ、使用しやすい。
【００１９】
本考案の変形を含む実施例において、制御ユニットは灌流コントローラ４と、吸引コントローラ３と、制御ノブ１２とを含み、制御ノブ１２は、吸引ルーメン内の気体又は液体の流動を正確にかつ持続的に制御する。
【００２０】
本考案の変形を含む別の実施例において、常圧灌流ルーメン７及び前記高圧灌流ルーメン８内の気体又は液体の流動速度は、前記コントローラによって制御される。吸引ルーメン９内の気体又は液体の流動速度は、制御ノブ及び／又は吸引コントローラによって制御される。
【００２１】
本考案の変形を含む別の実施例において、ソフトチューブを押圧するための押圧ユニットをさらに含み、各ソフトチューブに１つの押圧ユニットが設けられ、押圧ユニットは、リーフスプリング１０と、押圧ボタン１３と、Ｍ字状のベース１１とを含み、前記リーフスプリング１０は前記制御ユニットに接続され、前記制御ユニットが前記リーフスプリング１０に圧力を加えない場合、前記リーフスプリング１０は前記押圧ボタン１３に力を加え、前記押圧ボタン１３が前記ソフトチューブをＭ字状のベース１１に押し付け、前記灌流コントローラ４及び／又は吸引コントローラ３が押圧ボタン１３に力を加える場合、押圧ボタン１３がＭ字状のベース１１を持ち上げ、ソフトチューブは気体又は液体を通すことができる。
【００２２】
押圧ボタン１３とＭ字状のベース１１とが互いに押圧し合う部分は楔形となっているため、押圧ボタン１３の隅部はちょうどＭ字状のベースの隙間に押し込まれ、これによってソフトチューブ内の気体又は液体の流量を効果的に制御し、逆流を防止することができる。
【００２３】
本考案の変形を含むもう一つの実施例において、灌流吸引装置は、高圧灌流液体源としての灌流ポンプ又は高く設置されている液体バッグをさらに含む。
【００２４】
図５に示すように、手術中に煙が発生しその制限が必要な場合、制御ノブ１２を使用して吸引ルーメン内の気体の流動を制御することができ、制御ノブ１２によって正確な制御が可能である。時計回り又は反時計回りに回転させると、回転拡張機構１４の厚さが増加することで、制御ノブ１２は吸引ルーメンに接続されたソフトチューブの押圧された程度を調整する。当該押圧された程度は制御可能なものであり、しかもボタンで調整後にそのまま維持され、押圧操作を継続する必要がないため、使用しやすい。
【００２５】
図６に示すように、制御ノブ１２の回転拡張機構１４は、吸引コントローラ３によって圧力を加えていないため、１３はソフトチューブ５の部分を押圧して完全に遮断させ、気体及び／又は液体はソフトチューブ５を通すことができない。
【００２６】
図７に示すように、制御ノブ１２の回転拡張機構１４は、吸引コントローラ３によって圧力を加え、１３のソフトチューブ５に対する圧力が低減するため、ソフトチューブ５の遮断を一部又は完全に解消し、気体及び／又は液体はソフトチューブ５を通し、灌流及び吸引を正確に制御することができる。
【００２７】
ハンドルの部分は全体的に拳銃のグリップのように、人間工学に適合するように設計されている。従来の「インライン」式バルブ又はトランペット式バルブよりも、外科医が手と腕を置く位置により適合しており、使用しやすいものである。吸引及び灌流の機能は、右手又は左手の親指でコントロールするためより制御しやすく使用体験が向上している。
【００２８】
上記の内容は、好ましい実施形態を用いて本考案を詳細に説明するものであり、本考案の実施に関する具体的な内容はこれらの説明に限定されるものではない。当業者にとって、本考案の趣旨を逸脱することなく、性能又は用途が変わらない範囲で種々の同等な差替え又は変形を行うことができ、これらはいずれも本考案の保護範囲に含まれる。
【符号の説明】
【００２９】
１…３ルーメンチューブ、２…分岐チューブ、３…吸引コントローラ、４…灌流コントローラ、５…吸引ソフトチューブ、６…灌流ソフトチューブ、７…常圧灌流ルーメン、８…高圧灌流ルーメン、９…吸引ルーメン、１０…リーフスプリング、１１…Ｍ字状のベース、１２…制御ノブ、１３…押圧ボタン、１４…回転拡張機構
【図１】
0003229237.tif 000003
【図２】
0003229237.tif 000004
【図３】
0003229237.tif 000005
【図４】
0003229237.tif 000006
【図５】
0003229237.tif 000007
【図６】
0003229237.tif 000008
【図７】
0003229237.tif 000009
【手続補正書】
【提出日】令和2年9月9日(2020.9.9)
【手続補正１】
【補正対象書類名】明細書
【補正対象項目名】全文
【補正方法】変更
【補正の内容】
【考案の詳細な説明】
【技術分野】
【０００１】
本考案は、外科器具に関し、特に、灌流吸引装置に関する。
【背景技術】
【０００２】
灌流吸引装置は、腹腔鏡手術及び開腹手術において使用される重要なツールである。手術部位に灌流液を供給して洗浄し、出血部位の視野を確保するために用いられ、さらに、真空吸引を利用して、手術部位から血液及びその他液体及び組織の破片を吸引するためにも用いられる。特に、ＲＦエネルギーの使用又は電気凝固切断を行う前に出血部位を認識しその正確な位置決めを行うことができる。灌流吸引装置は通常ＣＯ２気腹装置の５ｍｍ又は１０ｍｍの穿刺カニューレ又は穿刺装置と組み合わせて使用され、これによって体腔の膨張状態を維持し、手術用の操作空間を作り出して、手術を受ける体腔に手術器具を入れることができる。従来の灌流吸引装置は、単一ルーメンチューブ（最も一般的なのは外径５ｍｍのものであるが、時には１０ｍｍのものも使用される）と、典型的にはチューブを接続して吸引又は灌流を行う、「トランペット」状を特徴とする１つ以上のバルブとを含む。使い捨て式の器具は一般にプラスチックで製造されるが、繰り返し使用される器具は取り外し可能なものとしてステンレス鋼で製造され、しかも別の患者又は手術に使用される前又は使用後には、洗浄及び消毒を行う。効果的な洗浄及び浄化を行うために、バルブを取り外す必要がある。バルブ及びチューブは複雑な幾何形状に構成されるため洗浄しにくい。そのため、現在使用されているものはその大半が使い捨て式である。
【０００３】
灌流吸引装置は主に、単一ルーメンチューブを使用し共通のルーメンを介して灌流及び吸引を行い、同一のルーメンを利用して吸引及び灌流を行うため、吸引された「汚い」液体（例えば、汚染された血液又は血塊などの不透明な液体又は固体）が患者の体内に戻ってしまう可能性があり、これによって出血部位の特定はより難しくなる。また、チューブ内の液体の完全除去がほぼ不可能であるため潜在的な汚染要因となる前記液体がチューブ内に残留し手術部位に戻ってしまうこともあり得る。これは一般に手術部位への「再注入」と呼ばれ、手術部位に追加の感染が生じるリスクがある。従来技術としては、２つの異なるルーメンを利用する灌流吸引装置があり、一方は吸引するために、他方は灌流するために利用される。灌流用として使用される場合、液流は一般に低い流速でチューブに沿って徐々に流動するため、従来の技術においては使い捨て式のポンプ又は加圧容器（例えば、窒素ガス加圧）を利用して灌流液の供給時に圧力を加えるという方法を採用しているが、費用の増加が生じ当該灌流吸引装置の使用上のリスクも増加する。より優れた灌流効果を得られるものの、大きな流速により大量の灌流液を消費し、余剰の液体を頻繁に吸引する必要がある。液流におけるエネルギーの総量を制御するためには、比較的低い圧力が必要となる。圧力が大きすぎると手術部分に望ましくない傷害が生じる。したがって、従来技術による灌流吸引装置は、灌流効果に優れかつ使用しやすいものではない。
【考案の概要】
【考案が解決しようとする課題】
【０００４】
本考案は、従来技術による灌流吸引装置は灌流効果が優れず、使用しにくいという課題を解決するためになされるものであって、灌流吸引装置を提供する。
【課題を解決するための手段】
【０００５】
本考案は、上記の課題を解決するために、以下のように構成する。
【０００６】
３ルーメンチューブと、分岐チューブと、２つのソフトチューブと、制御ユニットと、複列チューブとを含む灌流吸引装置であって、前記３ルーメンチューブは、常圧灌流ルーメンと、高圧灌流ルーメンと、吸引ルーメンとを含み、前記吸引ルーメンの横断面積は前記常圧灌流ルーメンの横断面積より大きく、前記常圧灌流ルーメンの横断面積は前記高圧灌流ルーメンの横断面積より大きい。前記３ルーメンチューブは前記分岐チューブに接続され、前記分岐チューブによって、前記３ルーメンチューブの常圧灌流ルーメン及び高圧灌流ルーメンは灌流ソフトチューブに接続され、且つ、前記３ルーメンチューブの吸引ルーメンは吸引ソフトチューブに接続される。前記２つのソフトチューブ内の気体又は液体の流動速度は、前記制御ユニットによって制御され、前記２つのソフトチューブは複列チューブに接続される。
【０００７】
好ましくは、前記制御ユニットは灌流コントローラと、吸引コントローラと、制御ノブとを含む。
【０００８】
好ましくは、前記常圧灌流ルーメン及び前記高圧灌流ルーメン内の気体又は液体の流動速度は、灌流コントローラによって制御される。
【０００９】
好ましくは、前記吸引ルーメン内の気体又は液体の流動速度は、制御ノブ及び／又は吸引コントローラによって制御される。
【００１０】
好ましくは、リーフスプリングと、押圧ボタンと、Ｍ字状のベースとを含む押圧ユニットをさらに含み、前記リーフスプリングは前記灌流コントローラ、前記吸引コントローラに接続され、前記灌流コントローラ及び／又は吸引コントローラが前記リーフスプリングに圧力を加えない場合、前記リーフスプリングは前記押圧ボタンに力を加え、前記押圧ボタンが前記ソフトチューブをＭ字状のベースに押し付け、前記灌流コントローラ及び／又は吸引コントローラが前記押圧ボタンに力を加える場合、前記押圧ボタンは前記Ｍ字状のベースを持ち上げて、ソフトチューブを完全又は一部開放させる。
【００１１】
好ましくは、制御ノブは、吸引ルーメン内の気体又は液体の流動を正確にかつ持続的に制御する。
【００１２】
好ましくは、前記吸引ルーメンは直線状である。
【００１３】
好ましくは、高圧灌流液体源としての灌流ポンプ又は高く設置されている液体バッグをさらに含む。
【考案の効果】
【００１４】
本考案は以下の有益な効果を有する。常圧灌流ルーメンと、高圧灌流ルーメンと、吸引ルーメンとを含む３ルーメンチューブ式の灌流吸引装置を提供する。手術中は、ニーズに応じて常圧灌流又は高圧灌流を行うことができ、吸引ルーメンの口径が大きいため、詰まりにくく、吸引及び灌流用の気流又は液流は完全に分離しているため、灌流効果に優れ、使用しやすい。
【図面の簡単な説明】
【００１５】
【図１】本考案の実施例１に係る灌流吸引装置の外部構造を概略的に示す説明図
【図２】本考案の実施例１に係る灌流吸引装置の内部構造を概略的に示す説明図
【図３】本考案の実施例１に係る別の灌流吸引装置の内部構造を概略的に示す説明図
【図４】本考案の実施例１に係る３ルーメンチューブの横断面を概略的に示す説明図
【図５】本考案の実施例１に係る制御ノブを概略的に示す説明図
【図６】本考案の実施例１に係る制御ノブの動作状態を概略的に示す説明図
【図７】本考案の実施例１に係る別の制御ノブの動作状態を概略的に示す説明図
【考案を実施するための形態】
【００１６】
次に、本考案をより一層理解させるために、図面及び具体的な実施例を用いてさらに説明する。下記の実施例は、本考案の範囲を限定するためのものではない。なお、下記の実施例に記載の図形と符号は、本考案の発想の基本を概略的に説明しているものに過ぎず、図面には本考案に関連する構成要素だけが示されており、実際に実施する際の構成要素の数量、形状及び寸法に基づいて作成しているものではない。実際に実施する際は、各コンポーネントの形状、数量及び寸法は任意に変更することができ、各コンポーネントはより複雑に配置される場合がある。
【００１７】
（実施例１）
図１、図２、図３に示すように、本考案に係る灌流吸引装置は、３ルーメンチューブ１と、分岐チューブ２と、２つのソフトチューブ５、６と、制御ユニットと、複列チューブとを含み、これらは順に接続される。
【００１８】
図４に示すように、３ルーメンチューブ１は、常圧灌流ルーメン７と、高圧灌流ルーメン８と、吸引ルーメン９とを含み、吸引ルーメン９の横断面積は前記常圧灌流ルーメン７の横断面積より大きく、常圧灌流ルーメン７の横断面積は高圧灌流ルーメン８の横断面積より大きい。３ルーメンチューブ１は前記分岐チューブ２に接続され、分岐チューブ２によって、３ルーメンチューブ１の常圧灌流ルーメン７及び高圧灌流ルーメン８は灌流ソフトチューブ６に接続され、且つ、３ルーメンチューブ１の吸引ルーメン９は吸引ソフトチューブ５に接続される。２つのソフトチューブ内の気体又は液体の流動速度は、前記制御ユニットによって制御され、２つのソフトチューブは複列チューブに接続される。手術中は、ニーズに応じて常圧灌流又は高圧灌流を行うことができ、吸引ルーメン９は直線状であり、吸引ルーメン９の口径が大きいため、詰まりにくく、吸引及び灌流用の気流又は液流は完全に分離しているため、灌流効果に優れ、使用しやすい。
【００１９】
本考案の変形を含む実施例において、制御ユニットは灌流コントローラ４と、吸引コントローラ３と、制御ノブ１２とを含み、制御ノブ１２は、吸引ルーメン内の気体又は液体の流動を正確にかつ持続的に制御する。
【００２０】
本考案の変形を含む別の実施例において、常圧灌流ルーメン７及び前記高圧灌流ルーメン８内の気体又は液体の流動速度は、前記灌流コントローラによって制御される。吸引ルーメン９内の気体又は液体の流動速度は、制御ノブ及び／又は吸引コントローラによって制御される。
【００２１】
本考案の変形を含む別の実施例において、ソフトチューブを押圧するための押圧ユニットをさらに含み、各ソフトチューブに１つの押圧ユニットが設けられ、押圧ユニットは、リーフスプリング１０と、押圧ボタン１３と、Ｍ字状のベース１１とを含み、前記リーフスプリング１０は前記灌流コントローラ４と吸引コントローラ３に接続され、前記灌流コントローラ４及び／又は吸引コントローラ３が前記リーフスプリング１０に圧力を加えない場合、前記リーフスプリング１０は前記押圧ボタン１３に力を加え、前記押圧ボタン１３が前記ソフトチューブをＭ字状のベース１１に押し付け、前記灌流コントローラ４及び／又は吸引コントローラ３が押圧ボタン１３に力を加える場合、押圧ボタン１３がＭ字状のベース１１を持ち上げ、ソフトチューブは気体又は液体を通すことができる。
【００２２】
押圧ボタン１３とＭ字状のベース１１とが互いに押圧し合う部分は楔形となっているため、押圧ボタン１３の隅部はちょうどＭ字状のベースの隙間に押し込まれ、これによってソフトチューブ内の気体又は液体の流量を効果的に制御し、逆流を防止することができる。
【００２３】
本考案の変形を含むもう一つの実施例において、灌流吸引装置は、高圧灌流液体源としての灌流ポンプ又は高く設置されている液体バッグをさらに含む。
【００２４】
図５に示すように、手術中に煙が発生しその制限が必要な場合、制御ノブ１２を使用して吸引ルーメン内の気体の流動を制御することができ、制御ノブ１２によって正確な制御が可能である。時計回り又は反時計回りに回転させると、回転拡張機構１４の厚さが増加することで、制御ノブ１２は吸引ルーメンに接続されたソフトチューブの押圧された程度を調整する。当該押圧された程度は制御可能なものであり、しかもボタンで調整後にそのまま維持され、押圧操作を継続する必要がないため、使用しやすい。
【００２５】
図６に示すように、制御ノブ１２の回転拡張機構１４は、吸引コントローラ３によって圧力を加えていないため、押圧ボタン１３はソフトチューブ５の部分を押圧して完全に遮断させ、気体及び／又は液体はソフトチューブ５を通すことができない。
【００２６】
図７に示すように、制御ノブ１２の回転拡張機構１４は、吸引コントローラ３によって圧力を加え、押圧ボタン１３のソフトチューブ５に対する圧力が低減するため、ソフトチューブ５の遮断を一部又は完全に解消し、気体及び／又は液体はソフトチューブ５を通し、灌流及び吸引を正確に制御することができる。
【００２７】
ハンドルの部分は全体的に拳銃のグリップのように、人間工学に適合するように設計されている。従来の「インライン」式バルブ又はトランペット式バルブよりも、外科医が手と腕を置く位置により適合しており、使用しやすいものである。吸引及び灌流の機能は、右手又は左手の親指でコントロールするためより制御しやすく使用体験が向上している。
【００２８】
上記の内容は、好ましい実施形態を用いて本考案を詳細に説明するものであり、本考案の実施に関する具体的な内容はこれらの説明に限定されるものではない。当業者にとって、本考案の趣旨を逸脱することなく、性能又は用途が変わらない範囲で種々の同等な差替え又は変形を行うことができ、これらはいずれも本考案の保護範囲に含まれる。
【符号の説明】
【００２９】
１…３ルーメンチューブ、２…分岐チューブ、３…吸引コントローラ、４…灌流コントローラ、５…吸引ソフトチューブ、６…灌流ソフトチューブ、７…常圧灌流ルーメン、８…高圧灌流ルーメン、９…吸引ルーメン、１０…リーフスプリング、１１…Ｍ字状のベース、１２…制御ノブ、１３…押圧ボタン、１４…回転拡張機構
【手続補正２】
【補正対象書類名】実用新案登録請求の範囲
【補正対象項目名】全文
【補正方法】変更
【補正の内容】
【実用新案登録請求の範囲】
【請求項１】
３ルーメンチューブと、分岐チューブと、２つのソフトチューブと、制御ユニットと、複列チューブとを含み、
前記３ルーメンチューブは、常圧灌流ルーメンと、高圧灌流ルーメンと、吸引ルーメンとを含み、前記吸引ルーメンの横断面積は前記常圧灌流ルーメンの横断面積より大きく、前記常圧灌流ルーメンの横断面積は前記高圧灌流ルーメンの横断面積より大きく、
前記３ルーメンチューブは前記分岐チューブに接続され、前記分岐チューブによって、前記３ルーメンチューブの常圧灌流ルーメン及び高圧灌流ルーメンは一方のソフトチューブに接続され、且つ、前記３ルーメンチューブの吸引ルーメンは他方のソフトチューブに接続され、
前記２つのソフトチューブ内の気体又は液体の流動速度は、前記制御ユニットによって制御され、前記２つのソフトチューブは複列チューブに接続される
ことを特徴とする灌流吸引装置。
【請求項２】
前記制御ユニットは灌流コントローラと、吸引コントローラと、制御ノブとを含む
請求項１に記載の灌流吸引装置。
【請求項３】
前記常圧灌流ルーメン及び前記高圧灌流ルーメン内の気体又は液体の流動速度は、前記灌流コントローラによって制御される
請求項２に記載の灌流吸引装置。
【請求項４】
前記吸引ルーメン内の気体又は液体の流動速度は、前記制御ノブ及び／又は前記吸引コントローラによって制御される
請求項２に記載の灌流吸引装置。
【請求項５】
リーフスプリングと、押圧ボタンと、Ｍ字状のベースとを含む押圧ユニットをさらに含み、前記リーフスプリングは前記灌流コントローラと、前記吸引コントローラとに接続され、前記灌流コントローラ及び／又は吸引コントローラが前記リーフスプリングに圧力を加えない場合、前記リーフスプリングは前記押圧ボタンに力を加え、前記押圧ボタンが前記ソフトチューブをＭ字状のベースに押し付け、前記灌流コントローラ及び／又は吸引コントローラが前記押圧ボタンに力を加える場合、前記押圧ボタンが前記Ｍ字状のベースを持ち上げて、前記ソフトチューブを完全又は一部開放させる
請求項２に記載の灌流吸引装置。
【請求項６】
前記制御ノブは、吸引ルーメン内の気体又は液体の流動を正確にかつ持続的に制御する
請求項２に記載の灌流吸引装置。
【請求項７】
前記吸引ルーメンは直線状である
請求項１ないし６のいずれかに記載の灌流吸引装置。
【請求項８】
高圧灌流液体源としての灌流ポンプ又は高く設置されている液体バッグをさらに含む
請求項１ないし６のいずれかに記載の灌流吸引装置。